(57)【要約】【課題】手動発光自転車用ベル構造を提供する。【解決手段】本考案のベルは、ギア、リブを有するレバー、軸心棒、連動蓋、ボールを設け、軸心棒、金属スズ体を連動して、ハンマーにより打撃して音を出し、内部に発電発光素子を備え、同時に、磁石（或いは、コイル）を連動させて、磁力切線作用を生成して発電させ、LEDを発光させて、ベルに灯光色彩の警告効果をもたらす。また、固定ベース、ハウジング間は、円形リブにより噛合して固定され、ベル全体の傾斜角度を変化させて、ユーザーの使用習慣に応じて、取っ手上における位置を調整することが出来る。【選択図】図１
0003102902.tif 000002
【実用新案登録請求の範囲】
【請求項１】
手動発光自転車用ベル構造であって、
軸心孔を備え、その中に、軸心により定位されるレバーを備え、前記レバーは、動力リブ、及び連設された弾性素子を備え、内側周辺に凸塊が設けられているほか、外周から延伸した凸座が形成され、前記凸座の端は、円形リブと固定孔、及び、底面に延伸素子が設けられたハウジングと、
ハンドルに固定され、その一端は、固定孔を有する円形リブが設けられ、ねじが前記固定孔を穿過し、二つの円形リブがハウジングに固定されると共に、噛合の位置を調節して、前記ハウジングの傾斜を調節する固定ベースと、
偏動可能なバネ、ハンマーを内設し、中心に一体結合された軸心棒を設け、前記軸心棒が前記ハウジングの軸心孔を貫通し、前記ハウジング上面に固定し、前記軸心棒は、更に、一体結合された連動蓋を備える金属スズ体と、
前記ハウジング上面に設置されると共に、前記軸心棒に貫通され、前記連動蓋が配置され、旋回可能であり、前記ハウジングのレバーの動力リブと一体になるよう噛合され、前記レバーが前記ギアを回転させて、前記連動蓋を連動して回転させ、前記連動蓋と前記軸心棒は一体に結合されているので、前記金属スズ体を回転させ、ハンマーが前記ハウジングの凸塊による阻止を受け、バネの弾性により、前記ハンマーが前記金属スズ体を打撃して、音が出る仕組みであるギアと、
前記ギア上方に設けられ、その円周に間隔を隔てた数段の斜面凹槽を設置し、その上方に、連動蓋が被覆し、前記斜面凹槽中にボールを有し、前記ギアが回転する時、前記ボールは前記斜面凹槽に沿って動き、前記ボールは前記連動蓋に抵接し、更に、緊接し、前記ギアが回転する時、前記連動蓋を連動し、前記軸心棒、前記金属スズ体も連動し、また、前記レバーを緩める時、前記レバーが元の位置に戻って、前記ギアを反転させ、前記ボールは連動蓋に抵接せず、前記連動蓋を連動しないので、前記軸心棒、前記金属スズ体は回転せず、一方向に回転する前記金属スズ体は、レバーが元の位置に回復する時、反転しない効果を有するプレートと、
中心に軸座を設け、前記軸座は前記軸心棒と一体に固定され、前記ハウジング底面に形成されると共に、前記軸心棒に沿って回転し、固定座を設けている透光カバーと、
コイル、磁石から構成され、前記コイルは、正、負極片、数個のLED灯を設けると共に、固定座に固定され、磁石は、前記延伸素子と一体に組み合わされると共に、前記コイル中に配置され、前記コイルは、前記ギア、前記軸心棒に沿って回転し、発電効果を生成し、前記LED灯を発光させる発電発光素子と、
からなることを特徴とするベル構造。
【請求項２】
前記ギアは前記軸心棒に係合し、前記軸心棒上端は前記金属スズ体と、下端は前記透光カバーと固定され、又、前記プレートは前記コイルを固定し、更に、前記ハウジングの底面に固定されて、前記コイルを旋回不能に、前記磁石を回転可能にし、上述により、前記ギアが回転し、前記軸心棒、前記磁石、前記透光カバー、前記スズ体を連動して音を出し、磁石は固定された前記コイル中で回転することにより、発電発光の効果を達成することを特徴とする請求項１記載のベル構造。  
【請求項３】
前記金属スズ片は、ゲルで生成することが出来、金属スズ片を加設して、ハンマーの打撃により音を出すことを特徴とする請求項１記載のベル構造。
【考案の詳細な説明】
【技術分野】
【０００１】
本考案は、自転車用ベル構造に関するものであって、電池不要で、発光し、音を出す自転車のスズ式ベルに関するものである。
【背景技術】
【０００２】
公知技術によるベルは、「単純に、叩くことで音が出る」、或いは、「単純に発光する」だけのものである。即ち、単に発声するものは、内部に、回転、打撃の素子だけを備え、音は出るが、発光の作用は備えていない。単に発光するものは、厳密に言えば、ベルではなく、一種の警告ランプで、電池、電球を有するランプであり、音を発する作用を備えておらず、電池も必要であり、電池を交換する手間や、使用する電池のコストもかかる。
【特許文献１】特開２０００−０３８１７６号公報
【考案の開示】
【考案が解決しようとする課題】
【０００３】
本考案は、電池不要で、発光し、音を出す自転車用ベルを提供することを目的とする。
【課題を解決するための手段】
【０００４】
すなわち、本考案のベル構造は、請求項１に記載するように、
手動発光自転車用ベル構造であって、
軸心孔を備え、その中に、軸心により定位されるレバーを備え、前記レバーは、動力リブ、及び連設された弾性素子を備え、内側周辺に凸塊が設けられているほか、外周から延伸した凸座が形成され、前記凸座の端は、円形リブと固定孔、及び、底面に延伸素子が設けられたハウジングと、
ハンドルに固定され、その一端は、固定孔を有する円形リブが設けられ、ねじが前記固定孔を穿過し、二つの円形リブがハウジングに固定されると共に、噛合の位置を調節して、前記ハウジングの傾斜を調節する固定ベースと、
偏動可能なバネ、ハンマーを内設し、中心に一体結合された軸心棒を設け、前記軸心棒が前記ハウジングの軸心孔を貫通し、前記ハウジング上面に固定し、前記軸心棒は、更に、一体結合された連動蓋を備える金属スズ体と、
前記ハウジング上面に設置されると共に、前記軸心棒に貫通され、前記連動蓋が配置され、旋回可能であり、前記ハウジングのレバーの動力リブと一体になるよう噛合され、前記レバーが前記ギアを回転させて、前記連動蓋を連動して回転させ、前記連動蓋と前記軸心棒は一体に結合されているので、前記金属スズ体を回転させ、ハンマーが前記ハウジングの凸塊による阻止を受け、バネの弾性により、前記ハンマーが前記金属スズ体を打撃して、音が出る仕組みであるギアと、
前記ギア上方に設けられ、その円周に間隔を隔てた数段の斜面凹槽を設置し、その上方に、連動蓋が被覆し、前記斜面凹槽中にボールを有し、前記ギアが回転する時、前記ボールは前記斜面凹槽に沿って動き、前記ボールは前記連動蓋に抵接し、更に、緊接し、前記ギアが回転する時、前記連動蓋を連動し、前記軸心棒、前記金属スズ体も連動し、また、前記レバーを緩める時、前記レバーが元の位置に戻って、前記ギアを反転させ、前記ボールは連動蓋に抵接せず、前記連動蓋を連動しないので、前記軸心棒、前記金属スズ体は回転せず、一方向に回転する前記金属スズ体は、レバーが元の位置に回復する時、反転しない効果を有するプレートと、
中心に軸座を設け、前記軸座は前記軸心棒と一体に固定され、前記ハウジング底面に形成されると共に、前記軸心棒に沿って回転し、固定座を設けている透光カバーと、
コイル、磁石から構成され、前記コイルは、正、負極片、数個のLED灯を設けると共に、固定座に固定され、磁石は、前記延伸素子と一体に組み合わされると共に、前記コイル中に配置され、前記コイルは、前記ギア、前記軸心棒に沿って回転し、発電効果を生成し、前記LED灯を発光させる発電発光素子と、
からなることを特徴とする。
また、請求項２に記載するように、前記ギアは前記軸心棒に係合し、前記軸心棒上端は前記金属スズ体と、下端は前記透光カバーと固定され、又、前記プレートは前記コイルを固定し、更に、前記ハウジングの底面に固定されて、前記コイルを旋回不能に、前記磁石を回転可能にし、上述により、前記ギアが回転し、前記軸心棒、前記磁石、前記透光カバー、前記スズ体を連動して音を出し、磁石は固定された前記コイル中で回転することにより、発電発光の効果を達成することを特徴とする。  
また、請求項３に記載するように、前記金属スズ片は、ゲルで生成することが出来、金属スズ片を加設して、ハンマーの打撃により音を出すことを特徴とする。
本考案による自転車用ベルを説明するため、図１〜図３を参照する。本考案のベルは、ハウジング１０、固定ベース１７、金属スズ体２０、ギア３０、発電発光素子４０、透光カバー５０、からなる。
ハウジング１０は、その中心に、軸心孔１５を備え、その中に、軸心により定位されるレバー１２を備える。レバー１２は、動力リブ１２０、及び連設された弾性素子１３を備え、内側周辺に凸塊１４が設けられているほか、ハウジング外周から延伸した凸座１６が形成されている。凸座１６の端は、固定孔１６１を有する円形リブ１６０が設けられ、ハウジング１０底面からは、延伸した延伸素子１０１が設けられて、発電発光素子４０の磁石４１を組固する。
固定ベース１７はハンドルに固定されるもので、その一端は、固定孔１７１を有する円形リブ１７０が設けられ、ねじ１８が固定孔１７１、１６１を穿過し、二つの円形リブ１６０、１７０が噛合して、ハウジング１０に固定されると共に、噛合の位置を回転させて、ハウジング１０が異なる傾斜状態になるように調節できる。
金属スズ体２０は、偏動可能なバネ２２、ハンマー２３を内設し、中心に一体結合された軸心棒２１を設け、軸心棒２１は、ハウジング１０の軸心孔１５を貫通し、金属スズ体２０をハウジング１０上面に固定し、軸心棒２１は、更に、一体結合される連動蓋３３を備えている。
ギア３０は、ハウジング１０上面に設置されると共に、軸心棒２１に貫通され、連動蓋３３が配置され、旋回可能であり、ハウジング１０のレバー１２の動力リブ１２０と一体になるよう噛合され、レバー１２がギア３０を回転させて、連動蓋３３を連動して回転させる。連動蓋３３と軸心棒２１は一体に結合されているので、金属スズ体２０を回転させる。ハンマー２３は、ハウジング１０の凸塊１４による阻止を受け、バネ２２の弾性により、ハンマー２３が金属スズ体２０を打撃して、音が出る仕組みになっている。
ギア３０上方に、一体である円形のプレート３１を設け、プレート３１に、間隔を隔てた数段の斜面凹槽３１０を設置し、その上方に、連動蓋３３がある。斜面凹槽３１０中にボール３２を有し、ギア３０が回転する時、ボール３２は斜面凹槽３１０に沿って動き、ボール３２は連動蓋３３に抵接し、緊接する。ギアが回転する時、連動蓋３３を連動し、軸心棒２１、金属スズ体２０も連動する作用を達成する。また、レバーを緩める時、レバーが元の位置に戻って、ギアを反転させ、ボールは連動蓋に抵接せず、連動蓋を連動しないので、軸心棒、金属スズ体は回転しない。一方向に回転する金属スズ体は、レバーが元の位置に回復する時、反転しない。
【０００５】
透光カバー５０は、中心に軸座５１を設け、軸座５１は軸心棒２１と一体に固定される。透光カバー５０は、ハウジング１０底面に結合され、軸心棒に沿って回転する。また、透光カバー５０には、固定座５２が設置され、発電発光素子４０のコイル４２を固定する。
発電発光素子４０は、コイル４２、磁石４１から構成され、コイル４２は、正、負極片４３、４４により被覆され、正、負極片４３、４４間には、数個のLED灯４５が連設されている。負極片４４は、固定片４４０を有し、透光カバー５０の固定座５２に固定される。磁石４１は、ハウジング１０の延伸素子１０１と一体に組み合わされると共に、コイル４２中に配置され、コイル４２は軸心棒２１に沿って回転し、透光カバー５０を連動して、正、負極片４３、４４及びコイル４２により、発電効果を生成し、LED灯４５を発光させる。
【考案の効果】
【０００６】
本考案は、電池不要で、発光し、音を出す自転車用ベルが得られる。
【考案を実施するための最良の形態】
【０００７】
一、発声、発光：
再び、図２及び図３を参照する。レバー１２を動かす時、動力リブ１２０が回転し、ギア３０を回転させて、ボール３２が連動蓋３３に抵接し、連動蓋３３が連動して回転し、軸心棒２１、及びそれに連接する金属スズ体２０、コイル４２、透光カバー５０、金属スズ体２０のハンマー２３がシフトして、ハウジング１０の凸塊１４に接触し、バネ２２の偏角度と弾性により、凸塊１４を通過した後、晃動し、金属スズ体２０を打撃して、音を発生させる。レバー１２に施力しない時、弾性素子１３は、レバー１２、動力リブ１２０を元の位置に回復させ、ギア３０を反転させ、ボール３２は連動蓋に抵接しない。これにより、軸心棒２１、金属スズ体２０は反転しない。即ち、斜面凹槽、ボールの設計は、「一方向連動」の効果を得て、レバーを押す時、金属スズ体を旋回させ、元の位置に回復する時、金属スズ体は反転しないので、金属スズ体は同方向に旋回する効果を達成する。
上述の軸心棒２１が回転する時、発電発光素子４０のコイル４２をも回転させ、磁石４１の磁力線は、コイル４２の正、負極片４３、４４切線作用を受けて、コイル４２に電力を生成させ（この発電原理は本案の標的ではないので、ここに詳述しない）、LED灯４５を発光させる。
上述の説明から分かるように、本考案は、打撃による発声効果のほかに、発光効果も備え、LED灯４５は有色の灯光を採用し、ベルに色彩変化の効果を具備させると共に、好ましい警告機能も有し、且つ、電池が不要で、電池交換の面倒やコストも不要である。
【０００８】
二、全体が異なる傾斜角度に設定可能である：
図４を参照する。固定ベースはハンドルに固定され、円形リブがハウジング１０の凸座１６の円形リブ１６０に噛合し、これにより、ねじ１８を緩めて、ハウジング１０の凸座１６の円形リブ１６０を旋回させ、必要な角度になった時、再び、締固して、金属スズ体２０、ハウジング１０、透光カバー５０が必要な傾斜角度に設定することができる。上述のような設計は、装置を取っ手の位置に配置するので、使用者は、必要な角度、水平状、垂直状、或いは、斜角状に操作して、好ましい実用効果を達成する。
【０００９】
三、実施例：
（１）図１及び図２は、磁石４１を固定させて、旋回させず、コイル４２が旋回するように設定したもので、本考案は、磁石４１を旋回可能に、コイル４２を旋回不可能に設定しても、同様の効果を有する。図５で示されるように、磁石４１と軸心棒２１１は係合し、軸心棒２１１上端は金属スズ体と固定され（透明のゲルカバー２０１と固定してもよい）、下端は透光カバー５０と組み合わされる。又、プレート３０１はコイル４２を固定するのに用いられ、プレート３０１は、更に、ハウジング１０の底面に固定されて、コイル４２が旋回しないようになっている。磁石４１は軸心棒２１１の回転に沿って旋回し、ギア３０により軸心棒を連動させ、発電発光、及び発声の効果を得る。
（２）更に、図５で示されるように、スズ体は透明ゲルカバー２０１を設け、その中に、金属スズ片６０を備えている。金属スズ片６０は透明ゲルカバー２０１内に、懸空状態で固定され、故に、ハンマー２３が金属スズ片６０を打撃して音を出す。上述の設計では、スズ体が透明ゲルカバー２０１を採用し、その中に、装飾素子６１を設置して、様々に変化させることが出来る。有色のゲルで形成することが出来、金属を使用する必要はないので、色彩変化を楽しむことが出来る。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案の好ましい実施例による立体分解図である。
【図２】図１の組み立て断面図である。
【図３】本考案の内部構造を示す図である。
【図４】本考案による角度調節を示す図である。
【図５】本考案のもう一つの実施例を示す図である。
【符号の説明】
【００１１】
１０…ハウジング
１１…軸心
１２…レバー
１３…弾性素子
１４…凸塊
１５…軸心孔
１６…凸座
１７…固定ベース
１８…ねじ
２０…金属スズ体
２１、２１１…軸心棒
２２…バネ
２３…ハンマー
３０…ギア
３１…プレート
３２…ボール
３３…連動蓋
４０…発電発光素子
４１…磁石
４２…コイル
４３…正極片
４４…負極片
４５…LED灯
５０…透光カバー
５１…軸座
５２…固定座
６０…金属スズ片
６１…装飾素子
１０１…延伸棒
１２０…動力リブ
１６０、１７０…リブ
１６１、１７１…固定孔
２０１…透明ゲルカバー
３０１…プレート
３１０…斜面凹槽
４４０…固定片
【図１】
0003102902.tif 000003
【図２】
0003102902.tif 000004
【図３】
0003102902.tif 000005
【図４】
0003102902.tif 000006
【図５】
0003102902.tif 000007